(57)【要約】【課題】  製造に手間がかからない電極パッドの提供。【解決手段】  電気メスの対極板として人体に貼着されると共に所定面積の電極板１５を有するパッド本体６と、電極板１５の電極部２１に一端部が接続されるコード３とを有した電極パッド５であって、電極部２１とコード３とを重ねた状態で接続させるための接続具２３を備え、該接続具２３は、電極部２１側、コード３側にそれぞれ設けられて電極部２１を覆うと共に重なり合った電極部２１とコード３とを弾性体を介して挟持することによって接続させる絶縁性を有する一対の被覆片を有し、該被覆片どうしの対向面には、電極部２１とコード３とを挟持した状態を保持すべく互いに嵌着する嵌合部を有している。【選択図】  図２
2007175159.tif 000002
【特許請求の範囲】
【請求項１】
電気メスの対極板として人体に貼着されると共に所定面積の電極板を有するパッド本体と、電極板の電極部に一端部が接続されるコードとを有した電極パッドであって、電極部とコードとを重ねた状態で接続させるための接続具を備え、該接続具は、電極部側、コード側にそれぞれ設けられて電極部を覆うと共に重なり合った電極部とコードとを弾性体を介して挟持することによって接続させる絶縁性を有する一対の被覆片を有し、該被覆片どうしの対向面には、電極部とコードとを挟持した状態を保持すべく互いに嵌着する嵌合部を有していることを特徴とする電極パッド。
【請求項２】
電極板が絶縁状態で所定の面積に二分されて、それぞれの電極板に電極部が設けられ、各電極部にそれぞれ別のコードが接続具を介して接続されていることを特徴とする請求項１記載の電極パッド。
【請求項３】
それぞれの電極部とそれぞれに接続されるコードどうしを一個の接続具で接続し、該接続具は、電極部およびコードどうしを絶縁する仕切り部を有することを特徴とする請求項２記載の電極パッド。
【請求項４】
嵌合部は柱状に形成され、コードの一端部に、嵌合部の外周部に係止する係止具が設けられていることを特徴とする請求項１ないし請求項３の何れかに記載の電極パッド。
【請求項５】
係止具は、嵌合部を外嵌する環状部を有することを特徴とする請求項４記載の電極パッド。
【請求項６】
電極板が弾性被覆体で覆われ、弾性体は弾性被覆体の一部を用いていることを特徴とする請求項１ないし請求項５の何れかに記載の電極パッド。
【発明の詳細な説明】
【技術分野】
【０００１】
本発明は、例えば電気メス装置の対極板として患者に密着させる電極パッドに関する。
【背景技術】
【０００２】
一般に、電気メス装置は、高周波発生回路を有する装置本体に電気的に接続される電気メスと、装置本体に電気的に接続されて電気メスの対極板として用いられる電極パッドを有する（例えば、特許文献１参照）。電極パッドは、装置本体から電気メスのメス先電極を通じて人体に流れる高周波電流を、広い面積で電流密度を下げて回収するアース電極である。
【０００３】
装置本体と電極板とは、コードを介して接続される。一般に電極板とコードとの接続は、コードの一端部を電極板の電極部にかしめることで行っている。さらに、コードの一端部や電極板の電極部が患者に触れて感電しないようにするために、コードの端部と電極板の電極部の接続部分を絶縁テープ等を用いて巻回している。
【特許文献１】特許第３７１４９８２号公報
【発明の開示】
【発明が解決しようとする課題】
【０００４】
しかしながら、コードの端部を電極板の電極部にかしめる作業は手間がかかる上、それにコードの端部と電極板の電極部の接続部分を外部から絶縁する作業が加わって、電極パッドの製造にいっそう手間がかかっていた。
【０００５】
そこで本発明は、製造に手間がかからない電極パッドの提供を課題とする。
【課題を解決するための手段】
【０００６】
本発明の電極パッドは、電気メスの対極板として人体に貼着されると共に所定面積の電極板を有するパッド本体と、電極板の電極部に一端部が接続されるコードとを有した電極パッドであって、電極部とコードとを重ねた状態で接続させるための接続具を備え、該接続具は、電極部側、コード側にそれぞれ設けられて電極部を覆うと共に重なり合った電極部とコードとを弾性体を介して挟持することによって接続させる絶縁性を有する一対の被覆片を有し、該被覆片どうしの対向面には、電極部とコードとを挟持した状態を保持すべく互いに嵌着する嵌合部を有していることを特徴とする。
【０００７】
上記構成において、電極部とコードを重ねて、重ねた両側から一対の被覆片で被覆するという容易な作業で、電極部とコードとが重なる方向で押圧されて確実に電気的に接触され、嵌合部どうしが嵌着することで電極部とコードとが重なって接触した状態が保持され、弾性体を介在させて電極部とコードとを挟持する構成であるのでその嵌合状態ひいては電極部とコードの挟持状態が確実に保持される。しかも、絶縁性の一対の被覆片によって電極部が覆われるのでコードとの接続部分が外部から絶縁の状態とでき、従来のように絶縁テープを巻回させるという工程が不要となる。
【０００８】
本発明の電極パッドは、電極板が絶縁状態で所定の面積に二分されて、それぞれの電極板に電極部が設けられ、各電極部にそれぞれ別のコードが接続具を介して接続されていることを特徴としている。
【０００９】
上記構成において、電極板がそれぞれ所定の面積を有して絶縁状態で二分されており、それぞれの電極部にコードの一端部が接続されているから、電極パッドの使用中に何れか一方のコードが電極部から離脱しても、他方のコードで電極部との電気的接続が保持される。
【００１０】
本発明の電極パッドは、それぞれの電極部とそれぞれに接続されるコードどうしを一個の接続具で接続し、該接続具は、電極部およびコードどうしを絶縁する仕切り部を有することを特徴としている。
【００１１】
上記構成において、電極部およびこれに接続されているコードは、接続具に仕切り部があるから一個の接続具であっても確実に絶縁される。
【００１２】
本発明の電極パッドでは、嵌合部は柱状に形成され、コードの一端部に、嵌合部の外周部に係止する係止具が設けられていることを特徴としている。
【００１３】
上記構成において、嵌合部に係止具が係止しているからその分だけコードに働く引抜き力に対する抵抗力が増大しているから、コードの一端部が電極部から外れにくくなる。
【００１４】
本発明の電極パッドでは、係止具は、嵌合部を外嵌する環状部を有することを特徴としている。
【００１５】
上記構成において、係止部が環状部を有するのでコードの一端部が電極部から外れることがない。
【００１６】
本発明の電極パッドは、電極板が弾性被覆体で覆われ、弾性体は弾性被覆体の一部を用いていることを特徴としている。
【００１７】
上記構成において、電極部を含む電極板を覆う弾性被覆体を前記弾性体とすることで別途の弾性体が不要となる。
【発明の効果】
【００１８】
本発明の電極パッドによれば、絶縁性を有する一対の被覆片によって電極部とコードと挟持するという簡単な作業で電極部にコードを電気的に接続させることができる。また、弾性体をその弾性に抗して厚みを薄くするよう押圧して嵌合部どうしが嵌合するから、その嵌合状態が確実に維持でき、その結果、電極部とコートとの電気的接続が確実に維持される。しかも、接続具の被覆片によって電極部が覆われるので簡単な作業で接続部分が外部から確実に絶縁される。
【発明を実施するための最良の形態】
【００１９】
以下、本発明の実施形態に係る電極パッドを、電気メス装置に付設する電極パッドを例に説明する。図１は電気メス装置の使用状態図である。図１に示すように、電気メス装置１は、高周波発生回路を有する装置本体２と、この装置本体２にコード３によって電気的に接続された電気メス４と、装置本体２にコード３により電気的に接続された電極パッド５とから構成されている。
【００２０】
同図に示すように、この電気メス装置１を用いる場合は、電極パッド５を患者Ｈに密着させた人体にて装置本体２から電極パッド５と電気メス４との間に高周波電流を与え、電気メス４の先端部分にて切開、凝固を行うようになっている。なお、電気メス４、装置本体２の構成は従来と同様であるので、その説明を省略する。
【００２１】
図２は電極パッド５の全体構成図であり、図２に示すように、電極パッド５は、パッド本体６と、このパッド本体６に接続されたコード３とから構成されている。なお、図３に示すように、コード３は二本を一束にした長尺物であり、コード３の先端は二股に分けられ、それぞれの先端に金属製の係止具７が半田などにより電気的に接続されている。この係止具７は、コード３の先端に接続される接続部８と、接続部８の先端部に一体的に形成されている金属製且つ薄板状の環状部１０とからなっている。この環状部１０の内径は、後述の嵌合部１１の外径にくらべてわずかに大きく設定されている。
【００２２】
ここで、図２、図４に基づいて、パッド本体６の構成を説明する。図４は模式図であり、それぞれの部分を誇張して描いた断面図としている。パッド本体６は、患者Ｈ側からみて最も外側に位置するシート状の弾性被覆体１２と、この弾性被覆体１２の内面に、全面的に施された粘着層１３を介して接着されたＰＥＴフィルム等の合成樹脂フィルムからなる合成樹脂層１４と、合成樹脂層１４の内面に接着された金属箔状の電極板１５と、電極板１５の内面に接着された導電性粘着剤１６と、導電性粘着剤１６および弾性被覆体１２に剥離自在に貼着されている透明なフィルム１７とを有する。なお、電極板１５としてアルミニウムが好適に用いられる。導電性粘着剤１６は電極板１５に沿う形状に形成されている。
尚、合成樹脂層１４を電極板１５の外側ではなく内側すなわち導電性粘着剤１６との間に設けてもよい。合成樹脂層１４が薄いので導電性粘着剤１６から電極板１５への電流が流れる。また、両面テープ等で電極板１５の端面が露出しないように覆ってもよい。
【００２３】
弾性被覆体１２は、ポリウレタンシートやポリエチレン、ポリプロピレン、ポリエチレンビニルアセテート、又はその一部分をケン化物とした単独あるいは共重合体、もしくは重合体混合物を含有する樹脂基材から得られる発泡シートであり、弾性復元力を有する。該弾性被覆体１２の左右幅方向略中心に、長手方向に向けて一体に延出する矩形の延出部２０が形成されている。
【００２４】
電極板１５はその幅方向中心で絶縁状態、すなわち非接触で２分割されており、互いに対称形状に形成されている。合成樹脂層１４は略同一形状同一面積となっており、ともに弾性被覆体１２に比べて全体的に小さい面積に設定されている。なお、図８に示すように、各電極板１５は延出部２０とともに延出部２０に沿うよう延出された矩形の電極部２１を有する。従って、電極部２１の外側は弾性被覆体１２（延出部２０）によってカバーされている。この電極部２１は、合成樹脂層１４とは剥離されていてもよいし、接着されていてもよい。そして、延出部２０の略中央には後述する仕切り部５０が入るように切欠き２０ａが形成され該切欠き２０ａによって延出部２０の先端部は左右に離間している。そして、切欠き２０ａの左右両側にはそれぞれ、電極部２１と延出部２０を貫通する孔２０ｂが穿設され、該孔２０ｂには後述する筒状部３７，３８が挿通する。
【００２５】
導電性粘着剤１６は矩形状に形成されており、当該分野で公知の粘着剤を何れも使用することができる。例えば、以下のような粘着剤を使用することが好ましい。すなわち、架橋された合成高分子１８〜３０重量％、水１２〜３０重量％、多価アルコール２５〜６５％および電解質塩１〜１３重量％を含むゲルからなる導電性粘着剤１６を使用することができる。
【００２６】
ここで、図５に基づいて、電極部２１とコード３の端部２２とを電気的に接続するための接続具２３の構成を説明する。接続具２３は、電極部２１、電極部２１に重なるコード３を外側からそれぞれ覆う一対の被覆片２４，２５を有して、合成樹脂製であって絶縁性に優れている。尚、一対の被覆片２４，２５は互いに別体でもヒンジ連結等で一体とされていてもよい。
【００２７】
図６に示すように、それぞれの被覆片２４，２５は、平面視して矩形板状の被覆片本体２６，２７と、被覆片本体２６，２７の一辺側に突出するコード案内部３０，３１とを備える。被覆片本体２６，２７の両側部には、被覆片本体２６，２７どうしを重合せた際に互いに当接すると共に部分的に嵌合するリブ３２，３３が形成されており、これらリブ３２，３３はコード案内部３０，３１の途中まで延長されて、被覆片本体２６，２７どうしを重合わせた際に、コード３の導出路３４を形成可能となっている。
【００２８】
図７は、被覆片２４，２５で電極部２１、環状部１０および弾性被覆体１２を挟持した際の模式断面図である。図５、図６と併せて参照して、接続具２３は、電極部２１および弾性被覆体１２を貫通して互いに嵌着する嵌合部１１を左右一対で設けている。この嵌合部１１は、一方の被覆片２４の対向面３５から他方の被覆片２５の対向面３６に向けて柱状に突出した筒状部３７，３８と、該筒状部３７，３８の例えば中心に形成された孔部（断面矩形）４２，４３に嵌着する柱状の小柱部（断面円形）４４，４５とから構成される。また、他方の被覆片２５の対向面３６には、前記小柱部４４，４５の外側且つそれと同軸状に、開放部４６，４７を有するように例えば２７０度の円弧状突出部４０，４１が突設されている。該円弧状突出部４０，４１は、一対の被覆片２４，２５を重ね合わせた際に、前記筒状部３７，３８の外側に位置する。なお、円弧状突出部４０，４１の突出量は小柱部４４，４５よりも小さい。なお、円弧状突出部４０，４１の開放部４６，４７はコード３の導出路３４に向けて開口している。孔部４２，４３の最大内径は、小柱部４４，４５の最大外径に比べて小さく設定する。これにより、両者は嵌着することになり、離脱が容易でなくなるからである。
【００２９】
なお、前記環状部１０の内径は、嵌合部１１、すなわち筒状部３７，３８の外径にくらべてわずかに大きく設定されている。また、一対の被覆片２４，２５のうち一方、本実施形態では一方の被覆片２４の対向面３５には、電極部２１同士、コード３の環状部１０同士を絶縁するための仕切り部５０が突設されている。該仕切り部５０は直線状に形成されている。
【００３０】
上記構成の電極パッド５のパッド本体６、すなわち電極部２１にコード３の一端部２２を接続するには、次のようにして行う。すなわち、図７に示すように、一方の被覆片２４を筒状部３７，３８が上を向くようにして例えば台の上に置き、その上からコード３の係止具７の環状部１０をそれぞれ筒状部３７，３８に係合させる。このとき環状部１０の内径は、筒状部３７，３８の外径にくらべてわずかに大きく設定されているから容易に係合可能である。なお、コード３は導出路３４から導出しておく。
【００３１】
続いて、電極部２１が環状部１０側になるようにして、あわせて延出部２０（弾性被覆片１２）の左右の孔２０ｂをそれぞれ筒状部３７，３８に係合させながら設置する。そうすると、延出部２０に形成された切欠き２０ａに仕切り部５０が位置することとなり、該仕切り部５０によって左右の電極部２１及び環状部１０が確実に絶縁される。従って、仕切り部５０の突出量は、環状部１０と電極部２１の合計厚さ以上が好ましい。そして、他方の被覆片２５をその小柱部４４，４５が下方を向くようにして一方の被覆片２４に接近させ、小柱部４４，４５がそれぞれ筒状部３７，３８の孔部４２，４３に嵌着する。このとき、リブ３２，３３どうしも合わさって、被覆片本体２６，２７どうしがずれないばかりか、小柱部４４，４５がそれぞれ孔部４２，４３に嵌着することで、離反することもない。また、リブ３２，３３どうしが合わさった状態では、延出部２０はその弾性に抗してその厚みが減少する方向に押圧された状態となる。
【００３２】
さらに、円弧状突出部４０，４１によって電極部２１とコード３の環状部１０とが弾性体である延出部２０を介して対向面３５，３６どうしの間で挟持されるので、電極部２１と環状部１０とが確実に接触する。そして、延出部２０はその弾性に抗してその厚みが減少する方向に押圧された状態となっているから、その厚み方向を増加しようとする弾性復元力により、小柱部４４，４５と筒状部３７，３８との嵌合状態が確実に維持され、その結果、電極部２１と環状部１０との接触状態が維持され、電気的な接触を確実なものとすることができる。
【００３３】
本発明の実施形態によれば、電極部２１とコード３とを重ね合わせて被覆片２４，２５どうしを合わせるといった簡単な作業で、電極部２１とコード３とを確実に接触させることができ、しかも、両被覆片２４，２５どうしの重なり合い状態が嵌合部１１によって確実に維持されるから、電極部２１とコード３との接触状態も確実に維持できる。更には、筒状部３７，３８に係止具７の環状部１０を係止させる構成であるので、コード３が被覆片２４，２５間から抜けるということがなく、接触状態が維持される。しかも、電極部２１も孔２０ｂによって筒状部３７，３８に係止されるので、電極部２１ひいては延出部２０も被覆片２４，２５間から抜けることが防止される。また、仕切り部５０によって左右の電極部２１と環状部１０とがそれぞれ絶縁状態となっているので、一つの接続具を被せるだけで済む。
【００３４】
本発明の実施形態の電極パッド１を電気メス４の対極板として使用する際には、フィルム１７を剥がして人体（患者Ｈ）に弾性被覆体１２の延長領域Ａ、すなわち、導電性粘着剤１６より外側の領域（これには粘着層が施されている）、および導電性粘着剤１６を貼着するようにする。特に延長領域Ａを確り人体に貼着することで、手術中に必要な生理食塩水などが電極板１５側へ浸入するのを防止することができる。
【００３５】
上記実施形態では、電極板１５は２枚のもので説明した。この場合、アクシデントで一方のコード３の端部が電極部２１から離脱してしまったとしても、他方のコード３と電極部２１との接触を確保している以上、安全に電気メス装置１を使用することが可能となる。
【００３６】
したがって、電極板１５の所定面積としては、電気メス４から発生する高周波によっても患者Ｈの皮膚に損傷を与えないような大きさが必要であるし、パッド本体６が患者Ｈの体から一部剥がれて、残っている領域が集中的に加熱されてしまうことのないよう管理する必要がある。
【００３７】
上記実施形態では、コード３の先端に接続した係止具７は薄板状の環状部１０を有するものであったが、電極部２１に接続される部分は環状に限定されるものではなく、嵌合部１１の周囲に嵌るコ字形形状、あるいはＵ字形形状、あるいは略Ｌ字形形状であってもよい。
【００３８】
さらに、上記実施形態では、嵌合部を設けて、この嵌合部が電極部および弾性被覆体（弾性体）を貫通する構成としたがこれに限定されることはない。要するに、電極部とコードとを重ねて弾性体を介在させて押圧し、その状態を嵌合により保持する構成であれば、上記のように、嵌合部が電極部および弾性被覆体を貫通させる構成でなくともよい。
【図面の簡単な説明】
【００３９】
【図１】本発明の実施形態を示す電気メス装置の使用状態図。
【図２】同じく電極パッドの全体構成図。
【図３】同じくコード先端部分の係止具の構成図。
【図４】同じく電極パッドの模式図。
【図５】同じく接続具の分解平面図。
【図６】同じく接続具の分解側面図。
【図７】同じく被覆片で電極部、環状部および弾性被覆体を挟持した際の模式断面図。
【図８】同じく電極パッドの電極部近傍の要部模式図。
【符号の説明】
【００４０】
１…電気メス装置、２…装置本体、３…コード、４…電気メス、５…電極パッド、６…パッド本体、７…係止具、８…接続部、１０…環状部、１１…嵌合部、１２…弾性被覆体、１５…電極板、１６…導電性粘着剤、１７…フィルム、２０２０…延出部、２１…電極部、２２…コードの端部、２３…接続具、２４，２５…被覆片、２６，２７…被覆片本体、３０，３１…コード案内部、３２，３３…リブ、３７，３８…筒状部、４０，４１…円弧状突出部、４２，４３…孔部、４４，４５…小柱部、仕切り部…５０
【図１】
2007175159.tif 000003
【図２】
2007175159.tif 000004
【図３】
2007175159.tif 000005
【図４】
2007175159.tif 000006
【図５】
2007175159.tif 000007
【図６】
2007175159.tif 000008
【図７】
2007175159.tif 000009
【図８】
2007175159.tif 000010